【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  透明な容器内に気体が封入され、この容器の表面の一部を接地したときに、その接地部位に向けて、放電極からの放電がなされるプラズマ管と、このプラズマ管の外部に配置されたキャラクタ模型とを備えた遊技機であって、
前記キャラクタ模型には、前記容器の表面に近接した場合にこの表面を接地することが可能なアース部が、前記表面に対して近接及び離隔可能に設けられていることを特徴とする遊技機。
【請求項２】  前記プラズマ管に対する前記アース部の接地部位が前記容器の表面上で移動可能であることを特徴とする請求項１記載の遊技機。
【請求項３】  前記アース部が、特定の遊技状態に基づいて前記表面に対して近接及び離隔可能に設けられていることを特徴とする請求項１又は請求項２記載の遊技機。
【請求項４】  前記特定の遊技状態は複数あり、これらの遊技状態に対応した前記キャラクタ模型の動作パターンが複数設定されていることを特徴とする請求項３記載の遊技機。
【請求項５】  前記複数の動作パターンは、各遊技状態毎に前記アース部の前記表面に対する近接離隔動作の速度を異なるようにしたものであることを特徴とする請求項４記載の遊技機。
【請求項６】  前記複数の動作パターンは、各遊技状態で行わせる前記アース部の前記表面に対する近接離隔動作の回数を各遊技状態毎に異ならせるようにしたものであることを特徴とする請求項４記載の遊技機。
【請求項７】  前記特定の遊技状態は複数あり、これらの遊技状態に対応した前記プラズマ管にかける電圧パターンが複数設定されていることを特徴とする請求項３記載の遊技機。
【請求項８】  前記複数の電圧パターンは、各遊技状態毎に前記プラズマ管にかける電圧の大きさを異なるようにしたものであることを特徴とする請求項７記載の遊技機。
【請求項９】  前記複数の電圧パターンは、所定の周期をもって電圧の強弱を繰り返すものであり、その周期を各電圧パターン毎に異なるようにしたものであることを特徴とする請求項７記載の遊技機。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
請求項２の発明は、請求項１記載のものにおいて、前記プラズマ管に対する前記アース部の接地部位が前記容器の表面上で移動可能であることを特徴とする。
請求項２の発明によれば、アース部の近接及び離隔動作によるプラズマ管の発光状態の変化に加えて、アース部の接地部位の移動による放電光の発生位置の移動も生じるから演出効果がさらに高まる。
【手続補正７】
【補正対象書類名】明細書
【補正対象項目名】００１７
【補正方法】変更
【補正の内容】
【００１７】
請求項３の発明は、請求項１又は請求項２記載のものにおいて、前記アース部が、特定の遊技状態に基づいて前記表面に対して近接及び離隔可能に設けられていることを特徴とする。請求項３の発明によれば、特定の遊技状態に基づいて、斬新なキャラクタ模型の機械装置的な動作、プラズマ管の発光状態の変化がなされるから、特定の遊技状態での演出効果を高めて遊技者の興趣をさらに引くことができる。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
請求項４の発明は、請求項３記載のものにおいて、前記特定の遊技状態は複数あり、これらの遊技状態に対応した前記キャラクタ模型の動作パターンが複数設定されていることを特徴とする。
請求項４の発明によれば、複数の遊技状態に応じた動作パターンが設定されているから、遊技者は、キャラクタ模型の動作、及びプラズマ管の発光により、特定の遊技状態、例えば、高確率のリーチであることを容易に認識できる。
【手続補正１１】
【補正対象書類名】明細書
【補正対象項目名】００２１
【補正方法】変更
【補正の内容】
【００２１】
請求項５の発明は、請求項４記載のものにおいて、前記複数の動作パターンは、各遊技状態毎に前記アース部の前記表面に対する近接離隔動作の速度を異なるようにしたものであることを特徴とする。
請求項５の発明によれば、遊技者は視覚的に明瞭な動作速度の違いにより特定の遊技状態であることを極めて容易に知ることができる。
【手続補正１２】
【補正対象書類名】明細書
【補正対象項目名】００２２
【補正方法】変更
【補正の内容】
【００２２】
請求項６の発明は、請求項４記載のものにおいて、前記複数の動作パターンは、各遊技状態で行わせる前記アース部の前記表面に対する近接離隔動作の回数を各遊技状態毎に異ならせるようにしたものであることを特徴とする。
請求項６の発明によれば、遊技者は視覚的に明瞭な動作回数の違いにより特定の遊技状態であることを極めて容易に知ることができる。
【手続補正１３】
【補正対象書類名】明細書
【補正対象項目名】００２３
【補正方法】変更
【補正の内容】
【００２３】
請求項７の発明は、請求項３記載のものにおいて、前記特定の遊技状態は複数あり、これらの遊技状態に対応した前記プラズマ管にかける電圧パターンが複数設定されていることを特徴とする。
請求項７の発明によれば、複数の遊技状態に応じた電圧パターンが設定されており、遊技状態に応じてプラズマ管の発光状態が異なるから、遊技者の興趣をさらに引くことができる。
【手続補正１４】
【補正対象書類名】明細書
【補正対象項目名】００２４
【補正方法】変更
【補正の内容】
【００２４】
請求項８の発明は、請求項７記載のものにおいて、前記複数の電圧パターンは、各遊技状態毎に前記プラズマ管にかける電圧の大きさを異なるようにしたものであることを特徴とする。
請求項８の発明によれば、遊技状態に応じてプラズマ管の発光強度、発光色等の発光状態が異なるから、遊技者は視覚的に明瞭な発光状態の違いにより特定の遊技状態であることを極めて容易に知ることができるとともに、演出効果が高められる。
【手続補正１５】
【補正対象書類名】明細書
【補正対象項目名】００２５
【補正方法】変更
【補正の内容】
【００２５】
請求項９の発明は、請求項７記載のものにおいて、前記複数の電圧パターンは、所定の周期をもって電圧の強弱を繰り返すものであり、その周期を各電圧パターン毎に異なるようにしたものであることを特徴とする。
請求項９の発明によれば、遊技状態に応じてプラズマ管の発光強度の変化の周期、又は発光色の変化の周期が異なるから、遊技者は視覚的に明瞭な周期の違いにより特定の遊技状態であることを極めて容易に知ることができるとともに、演出効果が高められる。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】